(57)【要約】【課題】段ボール箱など紙製の箱の側面に、長円形状の対向する両直線部の一方が、箱の裏面側からの罫線として、その残りの、もう一方の直線部とその両端に連なる曲線部とが切り込みとして形成された開閉扉を、その箱の内側から指一本で押圧して箱の外側に曲げ、開口を形成する際の操作が楽に行えるようにすること。【解決手段】開閉扉１の長円の幅方向中間に、その長手方向に沿って、箱の側面の表面側から半切り線４を施す。開閉扉１を、その背後、すなわち箱の内側から外側に向かって指一本で折り曲げようとする際、その長円の幅方向中間に設けられた半切り線４によって、根元の罫線２の折り曲げより先に、その部分で折り曲がろうとするので、その半切り線４がない場合に比べて指にかかる力が小さくなり、開口操作が楽に行える。【選択図】図１
2007204058.tif 000002
【特許請求の範囲】
【請求項１】
段ボールなどの紙製のケースの側面に設けられ、長穴の対向する両直線部の一方が罫線として、その残りの、もう一方の直線部とその両端に連なる連結部とが切り込みとして形成された開閉扉であって、それを開閉操作するための指の挿入穴が併設されたものにおいて、
前記長穴の幅方向中間に、その長手方向に沿って、ケース側面の表面側から罫線または半切り線を施したことを特徴とする紙製のケースの開閉扉。
【発明の詳細な説明】
【技術分野】
【０００１】
この発明は、段ボールなどの紙製（以下、段ボールで代表する）のケースにおいて、製品の梱包後、その製品の取扱説明書など、冊子類を追加投入するために設けられる開閉扉に関する。
【背景技術】
【０００２】
従来、紙製の箱体の一側面に開閉扉を設け、内容物を取り出すようにする技術が知られている（例えば、下記の特許文献１）。特許文献１においては、その第３図に示すように、横長の取り出し口を、内容物である袋の一部を取り出すときに開口するために、予め開設用ミシン目を開口部周囲に設けて、開口し易くしている。取り出し口を開口するときは、袋の一部の通し穴となる開口部下側の小円形のミシン目部分を最初に開口させ、その小円形の開口部を指掛り穴として、左右の開口下辺から左右両側辺にかけてのミシン目部分を、ミシン目で囲まれた扉片を箱体側面の外側に向かって指で引き上げることにより、指の力だけで切り破いて開口する。
【特許文献１】実開昭６１−１７２０５８号公報（第３図）
【０００３】
この特許文献１のように、小円形の開口部を指掛り穴として、左右の開口下辺から左右両側辺にかけてのミシン目部分を、ミシン目で囲まれた扉片を箱体側面の外側に向かって指で引き上げることにより、指の力だけで切り破いて開口する場合、指に多大な負荷がかかるばかりでなく、特に、小円形の開口部を指掛り穴として、左右の開口下辺を切り破く時にミシン目からそれた扉片の部分まで破く恐れがある。そのため、本明細書に添付した図３のような開閉扉が考案されている。
【０００４】
図３は、上記した開閉扉１１の一従来例である。この開閉扉１１は、図に示すように、直方体段ボール箱１０の一側面１０ａに設けられる横長の長円形状のものであって、その長円形状の対向する両直線部の一方が罫線１２として、その残りの、もう一方の直線部と、その両端に連なる曲線部とが切り込み線１３によって形成されたものである。
【０００５】
このような開閉扉１１は、特に海外に輸出される我が国の製品について、輸出先で、国別に異なる言語で書かれた取り扱い説明書を、製品が梱包された段ボール箱１０に後から追加投入するために設けられたものである。
【０００６】
その開閉扉１１のすぐ直下には、開閉扉１１の下側直線部の切り込み線１３に接して指の差込口１４が設けられており、この差込口１４も矩形の切り込みとして形成されたものである。
【０００７】
開閉扉１１を使用するには、その指の差込口１４を押圧して押し破り、段ボール箱１０内に指を挿入する。そして、その挿入した指で、開閉扉１１を背後から段ボール箱１０の外側に向かって押圧する。
【０００８】
すると、その押圧力によって、開閉扉１１の切り込み線１３が裂かれて、罫線１２の部分を回転軸のようにして、開閉扉１１が段ボール箱１０の外側に折り曲げられる。こうして、長円形の開口１５が形成され、先述した冊子類の投入口となる。このように、開閉扉の下側直線部を切り込み線にすることにより、特許文献１に記載された開閉扉のように、開口下辺を切り破く時にミシン目からそれた扉片の部分まで破く恐れは無くなる。
【発明の開示】
【発明が解決しようとする課題】
【０００９】
以上が、従来の開閉扉の構成と、その開口操作であるが、本発明は、その開口操作、すなわち、開閉扉を、それが設けられた箱の内側から指一本で押圧して箱の外側に曲げ、開口を形成する際の操作が楽に行えるようにすることを課題とする。
【課題を解決するための手段】
【００１０】
上記課題を解決するために、本発明は、長穴の対向する両直線部の一方が罫線として、その残りの、もう一方の直線部とその両端に連なる連結部とが切り込みとして形成された開閉扉の長穴の幅方向中間に、その長手方向に沿って、ケース側面の表面側から罫線または半切り線を施した構成としたのである。
【００１１】
このようにしたので、その開閉扉を、その背後、すなわち箱の内側から外側に向かって指一本で折り曲げようとする際、その長穴の幅方向中間に設けられた罫線または半切り線によって、根元の罫線の折り曲げより先に、その部分で折り曲がろうとするので、本発明のこの元の開閉扉の幅方向中間に設けられた罫線または半切り線がない場合に比べて指にかかる力が小さくなって楽となる。
【発明の効果】
【００１２】
この発明は、上記のように構成したので、開閉扉を開口する際に指に掛かる力が小さくなり、開口操作が楽に行える。
【００１３】
また、開閉扉によって形成された開口を把持部として使用する場合に、開閉扉の折り曲げ部が、後出の図２（ａ）のように、二段の折り曲げ状態になって、開口に手をいれて持ち上げる際、その接触面が従来の場合より大きくなるので、手にかかる圧力の強さが小さくなり、楽に把持することができる。
【発明を実施するための最良の形態】
【００１４】
以下、本発明の実施の形態を説明する。図１は本実施形態の開閉扉１が形成された段ボール箱の側面１０ａの、その開閉扉１が形成された部分を含む要部拡大図である。図に示したように、本実施形態の開閉扉１は、横長の長円形状のものであって、その長円形状の対向する両直線部の図の上側の方が、箱の裏面側からの罫線２として、その残りの、もう下側の直線部とその両端に連なる曲線部とが切り込み３として形成され、さらに、その長円形状の幅方向中間に、長円の長手方向に沿って、段ボール箱の表面側から半切り線４が施されたものである。
【００１５】
また、この長円形状の開閉扉１の下側の直線部（切り込み線）の直下に、箱内に指を挿入して、開閉扉１をその背面側（箱の裏側）から押圧して開口するための指の差込口５が矩形の切り込みの形で形成されている。
【００１６】
このような構成の本実施形態の開閉扉１を開口するには、図１（ｂ）に示すように、先ず、その直下にある、指の差込口５である矩形の切り込みを指で押圧して、指を箱内に挿入する。
【００１７】
そして、その箱内に挿入した指で、その直上にある開閉扉１を、その背後、すなわち段ボール箱の内側から外側に向かって押圧する。
【００１８】
その際、その開閉扉１の幅方向中間に設けられた半切り線４によって、根元の罫線２の折り曲げより先に、その部分で折り曲がろうとするので、その半切り線４がない場合に比べて指にかかる力が小さくなり、開口操作が楽に行える。こうして冊子投入用の開口６が形成される。
【００１９】
また、開閉扉１によって形成されたこの開口６を把持部として使用することもでき、その場合、本実施形態の開閉扉１によれば、その折り曲げ部が、図２（ａ）のように、二段の折り曲げ状態になって、開口６に手をいれて持ち上げる際、その接触面が従来の二段にしていない場合より大きくなるので、手にかかる圧力の強さが小さくなり、楽に把持することができる。
【００２０】
なお、この開閉扉１を段ボール箱の把持部として使用する場合、元の開閉扉１の長円形状の幅方向中間に設ける半切り線４または罫線は、一本だけでなく、図２（ｂ）に示すように、二、三本、設けて、開閉扉１を、その幅方向において蛇腹状に畳めるようにすれば、図２（ｃ）に示すように、その細かく畳んだ部分で把持できるので、手に掛かる圧力の強さが小さくなり、さらに楽に把持することができる。
【産業上の利用可能性】
【００２１】
本発明は、開閉扉の設けられた、段ボール箱などの紙製の収納箱全般に適用可能である。
【図面の簡単な説明】
【００２２】
【図１】は、（ａ）に本実施形態の開閉扉が形成された部分を要部拡大図で示し、（ｂ）にその作用を示したものである。
【図２】は、（ａ）に本実施形態の開閉扉の把持部として作用を示し、（ｂ）にその把持部としての他の実施形態を示し、（ｃ）にその作用を示したものである。
【図３】は、（ａ）に従来の開閉扉が設けられた段ボール箱を斜視図で示し、（ｂ）にその開閉扉が形成された部分を要部拡大図で示し、（ｃ）にその作用を示したものである。
【符号の説明】
【００２３】
１０    段ボール箱
１、１１    開閉扉
２、１２    罫線
３、１３    切り込み線
４    半切り線
５、１４    差込口
６、１５    開口
【図１】
2007204058.tif 000003
【図２】
2007204058.tif 000004
【図３】
2007204058.tif 000005